【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
容器とキー板とを包含し、前記容器が、この容器から下向きに延びている頸部と、前記容器から下向きに延びていると共に前記頸部に取り付られている又は前記容器と一体に形成されているポンプとを包含し、前記キー板が前記容器の頸部を受け入れるような形状とされている、石けんなどの分与器と一緒に用いられるユニバーサルアダプタクリップであって、
ａ）前記頸部又は前記ポンプに取り付け可能な中空の本体と、
ｂ）前記本体から半径方向外向きに延びているフランジと、
ｃ）前記本体から後方に延びていると共に、前記分与器内への前記容器の挿入により前記フランジとの間に前記キー板を受け入れるように前記フランジから軸方向に間隔を置いているタブと、
を包含しているユニバーサルアダプタクリップ。
【請求項２】
請求項１記載のユニバーサルアダプタクリップにおいて、前記フランジが前記本体の上方垂直末端に設けられ、また前記タブが前記本体の下方垂直末端に設けられているユニバーサルアダプタクリップ。
【請求項３】
請求項１記載のユニバーサルアダプタクリップにおいて、更に、前記フランジの半径方向外側末端から下向きに延びているリムを包含し、このリムが前記キー板の頂部表面と接触するようにされているユニバーサルアダプタクリップ。
【請求項４】
請求項３記載のユニバーサルアダプタクリップにおいて、前記タブが、前記本体から後方に延びている第１の部分と、この第１の部分から後方に延びていると共にこの第１の部分に関して下向きに段を付けている第２の部分とを包含しているユニバーサルアダプタクリップ。
【請求項５】
請求項４記載のユニバーサルアダプタクリップにおいて、前記第１の部分と前記第２の部分とが、前記分与器内への前記容器の挿入によりキー板と係合するようにした、垂直に延びる肩部を形成しているユニバーサルアダプタクリップ。
【請求項６】
請求項１記載のユニバーサルアダプタクリップにおいて、前記本体が半円の形状であって、前記分与器に関して後方に開口しているユニバーサルアダプタクリップ。
【請求項７】
請求項１記載のユニバーサルアダプタクリップにおいて、前記本体が軸方向の両端で開口させられていると共にこれらの開口を通して前記容器の一部分を受け入れるようにし、また前記フランジが前記容器の突出表面を把持するようにした、半径方向内向きに延びる部分を包含しているユニバーサルアダプタクリップ。
【請求項８】
請求項１記載のユニバーサルアダプタクリップにおいて、このクリップが前記容器の位置決め突出部を受け入れるようにしたノッチを画成しているユニバーサルアダプタクリップ。
【請求項９】
請求項１記載のユニバーサルアダプタクリップにおいて、更に、前記本体に形成したホルダを包含し、前記ホルダが、前記キー板とは反対側で前記本体から前方に延びている、一対の垂直に延びるリブを包含しているユニバーサルアダプタクリップ。
【請求項１０】
請求項１記載のユニバーサルアダプタクリップにおいて、更に、前記タブに隣接して前記本体から後方に延びている他のタブを包含し、これらの２つのタブが前記レシーバの下に挿入可能であるユニバーサルアダプタクリップ。
【請求項１１】
請求項１記載のユニバーサルアダプタクリップにおいて、更に、前記フランジから下向きに延びているリムを包含し、このリムが前記キー板の頂部表面と係合するようにされているユニバーサルアダプタクリップ。
【手続補正２】
【補正対象書類名】明細書
【補正対象項目名】全文
【補正方法】変更
【補正の内容】
【発明の詳細な説明】
【発明の名称】ユニバーサルアダプタクリップ
【技術分野】
【０００１】
本発明は、一般には、分与しようとする製品で充填されている容器が内部に取り外し可能に収容されているハウジングを有する分与器に関する。詳細には、本発明は、容器を特有の分与器に組み合わせるキー止め装置を用いる分与器に関する。より詳細には、本発明は、任意のキー止め装置が多種の分与器のハウジングに関連するにもかかわらず、容器に取り付けることができて、容器をこれらのハウジングに挿入することを可能とするユニバーサルアダプタクリップに関する。
【背景技術】
【０００２】
分与器は、とりわけ、ローション又は石けんのような流体及び粉末を分与するために一般に用いられている。説明を簡略にするために、すべての分与可能な製品は、本明細書では、総括して“石けん”と称することにする。これらの分与器は、一般には、分与しようとする石けんを収容する袋又はびんのような容器が内部に挿入されているハウジングを包含する。石けんを貯蔵する見地から、ハウジング内の容積の使用を最大にするために、容器はしばしば特有のハウジングと適合するような大きさ又は形状とされる。また、特有の容器のみが特有のハウジングと一緒に用いられることを保証するために、容器をそれらの特有のハウジングにキー止めする装置が開発されている。
【０００３】
このようなキー止め装置のひとつの形は、容器に取り付けられるカラーキーを包含し、これらのカラーキーは容器をハウジング内に固定するようにハウジング内のレシーバと相互に作用する。容器をハウジングに組み合わせるために、カラーキーはその表面から外向きに延びている突出キーを有し、この突出キーはレシーバに形成した対応するキー溝と適合するように配設されている。例えば、容器は外向きに突出する垂直リブの形のキーを包含するカラーキーを有することができる。対応するハウジングは、この垂直リブを受け入れるような大きさとされた垂直方向スロットの形のキー溝を有する。キーの形状、大きさ又は位置を変更することにより、容器は特有のハウジングにのみ適合するように作られている。製作の見地から、これはひとつの特有の容器がひとつの特有のハウジングと一緒に用いられることを保証する。これは、特に、分与器に特別の識別情報を示すラベルがはられていて、分与器に特有の内容物を収容している容器のみを取り付けなければならない場合に、重要である。使用者の見地から、これは使用者が適正な交換容器を注文することを可能とし、またその保守スタッフが特有の容器を特有のハウジング内に挿入することを保証する。
【０００４】
これらの利点にもかかわらず、分与器の急増は消費者が幾つかの異なる分与器を所有することを生じせしめており、これらの異なる分与器の各々は特有のキーを備える異なる容器を必要とするものである。その結果として、これらの消費者は幾つかの異なるキーを備えている容器を買ってしまう事態に直面してしまう。これらの分与器のハウジングのすべてに適合するような単一の容器を買うことは分与器の多少の容積の損失を生じせしめるけれども、消費者にとっては、ユニバーサル容器を備えることにより容器の蓄え及び交換を簡単にできることは望まれるものであると思われる。これらの分与器のすべてに収容することができる特有の大きさの容器を買うことはさておき、分与器内への容器の適当な挿入及び固定を提供するためには、単一の容器を多種の分与器のハウジングに用いることを可能とするカラーキーが必要とされる。
【発明の開示】
【発明が解決しようとする課題】
【０００５】
上述したことに鑑み、本発明の目的は、単一の容器を多種の分与器のハウジングに取り付けるためにカラーキーを取り換えることができるユニバーサルアダプタクリップを提供することにある。
【０００６】
この目的に照らして、本発明は、石けん分与器のキー板にかかわりなく、前記分与器内に容器を取り付けるユニバーサルアダプタクリップであって、前記容器に取り付け可能な本体と、この本体から後方に延びて、前記キー板の下に挿入可能な一対のタブと、前記本体の頂部分に形成されて、前記キー板の上を横切って延びているリムとを包含し、前記キー板が前記リムと前記タブとの間に受け入れられているユニバーサルアダプタクリップ、を提供する。
【０００７】
本発明は、また、レシーバを有する石けん分与器内に容器を取り付けるユニバーサルアダプタクリップであって、前記容器に取り付け可能な本体と、この本体から後方に延びて、前記レシーバの下に挿入可能な一対のタブと、前記本体の頂部分に形成されて、前記レシーバの少なくとも一部分を横切って延びているリムとを包含し、前記レシーバが前記リムと前記タブとの間に少なくとも部分的に受け入れられているユニバーサルアダプタクリップ、を提供する。
【０００８】
本発明は、更に、分与器のレシーバにかかわりなく、前記分与器内に容器を取り付けるユニバーサルアダプタクリップであって、前記容器の一部分を受け入れるように一側に開口している半円形の本体と、開口を画成し、この開口を通して前記分与器のノズルが延びている環状のベースと、このベースから後方に延びている一対のタブであって、これらのタブの各端が前記本体から後方に段を付け、前記分与器内への前記容器の挿入により前記キー板の下に延びるようにした一対のタブと、前記本体の上方縁に形成され、前記容器の一部分と係合してこの容器の一部分上に前記本体を支持するように半径方向内向きに延びていると共に、前記キー板を横切って取り付けるようにした半径方向外向きに延びる部分を形成するように半径方向外向きに延びている頂部フランジとを包含し、前記半径方向外向きに延びる部分と前記タブとがそれらの間に前記キー板を受け入れるようしているユニバーサルアダプタクリップ、を提供する。
【発明を実施するための最良の形態】
【０００９】
符号１０により総括的に示されている分与器が、図面の図１に示されている。種々の分与器が当業界において広く利用できるものであり、図１に示されている分与器１０は一例にすぎない。分与器１０は、一般に、石けんを保持する袋又はびんのような容器２０（図２）を収容するハウジング１１を包含する。ハウジング１１は、空となった容器２０の交換を容易にするためにクラムシェルのような手段で互いに取り付けることができるベース１１ａとカバー１１ｂとを包含することができる。
【００１０】
図２に示されるように、ベース１１ａはくぼみ１５を画成することができ、このくぼみ内には容器２０の少なくとも一部分が受け入れられる。ベース１１ａは、更に、一対の肩部１７を包含することができ、これらの肩部１７は容器２０の頸部２１の両側で容器２０の下に内向きに延びている。
【００１１】
符号２５により総括的に示されているポンプは、典型的には、容器２０から石けんを分与するために、容器２０に取り付けられているか又は容器２０と一体に形成されている。図示されるように、ポンプ２５は容器２０から下向きに延びることができる。図３及び図４を参照するに、ポンプ２５は、例えば、ねじ付きキャップ２２により、容器２０から下向きに延びている頸部２１で容器２０に取り付けることができ、キャップ２２はポンプ２５に嵌合して頸部２１に螺合する。ポンプ２５のノズル２７は、キャップ２２から軸方向外向きに突出し、図示の例においては、上向きに動かされて、石けんを容器２０から分与せしめる。
【００１２】
再び図２を参照するに、一般にはベース１１ａの底部に設けられているノズル位置決めバー２８を見ることができ、このノズル位置決めバー２８はノズル２７を受け入れるためのくぼみ２９を包含する。ポンプ２５のノズル２７を軸方向内向きに駆動せしめて、石けんを容器から吐出せしめることを可能とするために、位置決めバー２８は、軸方向にノズル２７と一緒に移動可能であると共に、この位置決めバーの軸方向への移動を制限するスライドガイド２３に取り付けることができる。この方法において、位置決めバーと相互作用するハンドル１２（図１）は、ノズル２７を動かして石けんを容器２０から分与せしめるために用いることができる。図示の例においては、ハンドル１２はカバー１１ｂに枢動可能に取り付けられ、またハンドル１２は後方に延びているアーム（図示せず）を包含し、このアームは位置決めバー２８に係合してノズル２７を垂直方向に動かし、ポンプ２５を駆動せしめる。
【００１３】
レシーバ３０は、位置決めバー２８の上方に設けられて、一般に、カラーキーを受け入れるように工夫されている。上述したように、既存の分与器は所定の容器２０とハウジング１１との間の独特の取り付けを保証するためにカラーキーを用いている。典型的には、カラーは突出キーを担持し、レシーバ３０は所定のカラーキーに対して特別のキー溝を画成する。例えば、図５に示されるレシーバ３０は、垂直スロットの形のキー溝を備えている。組み合うカラーキーは、このカラーキーから突出する垂直キーを有するように作られ、このキーはレシーバ３０のキー溝と適合する。理解されるように、多種の容器２０及びハウジング１１をキー止めするためには、多種のキー溝構成が定められる。
【００１４】
以上のことを考慮に入れて、本発明の概念によるユニバーサルアダプタクリップは、図面に符号４０により総括的に示されている。ユニバーサルアダプタクリップ４０を詳細に説明する前に、ここにおいて用いる用語“ユニバーサル”とは、ひとつ以上のレシーバ３０と一緒に使用することができるユニバーサルアダプタクリップの機能を意味することを理解すべきである。
【００１５】
再びレシーバ３０に戻るに、レシーバ３０は、容器２０の頸部２１を受け入れるような形状とされているキー板３１を包含することができる。例えば図２に示されているように、レシーバ３０は半円形の開口を画成するＣ形のキー板３１を有することができ、この半円形の開口の中にクリップ４０を受け入れることができる。シェルフ３２をレシーバ３０に形成することができ、このシェルフはキー板３１の上で後方に延びている。キー板３１のように、シェルフ３２も半円形とすることができる。図示の例において、シェルフ３２は、半円形のくぼみ区域をだいたい形成するようにレシーバ３０の頂部面３３からくぼまされ、シェルフ３２はキー板３１の後方に半径方向外向きに延びている。この方法において、シェルフ３２は、容器２０のための垂直支持体を提供する。
【００１６】
ユニバーサルアダプタクリップ４０は、容器２０の一部分、例えば頸部２１又はポンプ２５にスナップ手段又は他の手段により取り付けることができる。この取り付けでもって、クリップ４０は既存の容器２０に取り付けることができる。一般に、クリップ４０は中空本体４１を包含し、この中空本体は容器２０の一部分を受け入れる穴４２を画成する。図示の例において、本体４１はポンプ２５を容器２０に固定する円形キャップ２２に嵌合する。キャップ２２の円形の形状に備えるために、穴４２は円筒形に作られている。他の穴形状が種々の容器形状に適応するように用いることができることは、理解されよう。
【００１７】
頂部フランジ４３は、例えば本体４１の頂部縁で４４で又はこの頂部縁の近くで、クリップ４０から半径方向外向きに延びている。図４に示されるように、頂部フランジ４３は、キャップ２２の頂部縁２２ａより上の穴４２内に半径内向きに延びている部分４３ａを有することができ、これにより、クリップ４０は頂部縁２２ａを把持することによりキャップ２２上に支持することができる。頂部フランジ４３はクリップ４０を容器２０の他の突出表面に又は分与器１０内に支持するように用いることができるは、理解されよう。図３に最も良く示されているように、底部フランジ４５は、本体４１の底部縁４６に又はこの底部縁の近くに形成することができる。この底部フランジ４５は、底部縁４６から半径方向内向きに延びることができると共に、頂部及び底部フランジ４３，４５間にキャップ２２を受け入れるために頂部フランジ４３から適当な距離、軸方向に間隔を置くことができる。この方法により、キャップ２２は頂部及び底部フランジ４３，４５間に実質的に捕らえられる。
【００１８】
頂部フランジ４３は半径方向外向きに延びている部分４３ｂを包含することができ、この部分は容器２０を分与器１０内に位置決めしてその軸方向移動を制限するためにレシーバ３０の座３２に載ることができる。リム４７は、頂部フランジ４３の端４８から下向きに延びることができる。本例において、リム４７は、図２に示されるように、座３２と接触する。有益には、リム４７は頂部フランジ４３の強さを改善するように用いることができ、これにより、リム４７は容器２０の重さを良好に支えることができる。
【００１９】
容器２０を更に位置決めして固定するために、符号５０により総括的に示されているひとつ又はそれ以上のタブが、ハウジング１１のベース１１ａに向かって本体４１から後方に延びることができる。タブ５０は頂部フランジ４３からキー板３１の高さＨに相当する距離、軸方向に間隔を置いており、これにより、頂部フランジ４３がキー板３１に嵌合すると、タブ５０はキー板３１の下の挿入され、その結果、キー板３１は頂部フランジ４３とタブ５０との間に捕らえられる。キャップ２２のキー無し露出表面２２ｂはキー板３１と直接適合することができる。キー板３１とのタブ５０及び／又は頂部フランジ４３の相互作用は、任意のキー止め装置を迂回していても、容器２０の移動を軸方向において制限する。
【００２０】
図３に最も良く示されているように、タブ５０は容器２０の挿入方向と平行な方向に底部フランジ４５から延びることができる。図示の例において、タブ５０の第１の部分５１は、底部フランジ４５と同一の高さ位置で、この第１の部分５１をキャップ２２の表面２２ｂとだいたい整列しておく距離、延びている。半円形の本体４１の例においては、第１の部分５１はキャップ２１の半径にほぼ等しい距離、延びている。タブ５０の第２の部分又は端５２は、第１の部分５１の高さ位置から下向きに段を付けて、容器２０の挿入方向に対して垂直に延びる肩部５５を作る。容器２０の挿入により、タブ５０の端５２はキー板３１の下に適合すると共に肩部５５はキー板３１に当接して、容器２０が過剰に挿入されないことを保証する。
【００２１】
容器２０の挿入を容易にするために、符号６０により総括的に示されているひとつ又はそれ以上のホルダを、クリップ４０に設けることができる。ホルダ６０は、クリップ４０の把持を容易にする正又は負の表面とすることができ、図３に示されるように、前方に突出するリブ６１を包含することができる。リブ６１は、図示されるように、Ｌ形の形状にすることができ、本体４１の頂部縁４４に沿ってだいたい水平方向に延びて頂部フランジ４３と整列する第１のレッグ６１ａを包含することができる。第２のレッグ６１ｂは、本体４１の底部縁４６に向かって第１のレッグ６１ａから直角に下向きに延びることができる。本例において、図示されているように、２つのホルダ６０が用いられているときには、それらの第１のレッグ６１ａはくぼみ６２を画成するために互いに間隔を置くことができ、このくぼみ６２の中には容器２０の位置決め突出部３４が受け入れられる。この方法により、クリップ４０を容器２０の挿入のための適当な位置に取り付けるために、クリップ４０を容器２０に迅速に整列せしめることができる。
【００２２】
使用において、クリップ４０が容器２０に取り付けられ、それから容器２０がハウジング１１の中に挿入される。容器２０を位置決めして固定するために用いたフランジ４３及びタブ５０はキー板３１の上及び下に延びているので、キー板３１に形成されている特有なキー溝と無関係に、容器２０を完全に挿入することができる。この方法により、種々の分与器１０に設けられている特有なキー止め装置を無関係に、容器２０をひとつ以上の分与器１０に用いることができる。
【００２３】
本発明の十分及び完全な説明が特許法の規定にしたがって詳述されたけれども、本発明の精神又は特許請求の範囲から逸脱することなしに、種々の変形を行うことができることを理解されよう。
【図面の簡単な説明】
【００２４】
【図１】本発明の概念による分与器の斜視図である。
【図２】図１に示される分与器の一部分の拡大斜視図であって、石けんで充填した容器から延びるポンプに取り付けた、本発明の概念によるユニバーサルアダプタクリップの詳細を示すためにカバーを取り外している。
【図３】容器から延びているポンプの拡大斜視図であって、ポンプはこのポンプに取り付けた、本発明の概念によるユニバーサルアダプタクリップを有している。
【図４】図３に示されるポンプ、容器及びユニバーサルアダプタクリップを後方から見た斜視図である。
【図５】図２の一部分の側面断面図である。
【手続補正３】
【補正対象書類名】図面
【補正対象項目名】図２
【補正方法】変更
【補正の内容】
【図２】
2007511257.tif 000001